(57)【要約】【課題】被介護者及び介護者の少なくとも一方の入浴時における恥ずかしさ、ためらいを軽減して心と体のケアができ、介護者が簡単に着脱できる前垂れを提供する。【解決手段】陰部を覆う前垂れ布２と腰に巻くベルト３とを備えた前垂れであって、前垂れ布２は、ベルト３を通すベルト通し４と、ベルト通し４と連続する垂下部５を備え、ベルト３は、ベルト通し４に通され、ベルト３の一方側にバックルのプラグ６１が設けられ、他方側にバックルのソケット６２が設けられ、プラグ６１及びソケット６２の少なくとも一方に、ベルト３の長さを調節するアジャスタ６０が設けられている。【選択図】図２
0003207884.tif 000002
【実用新案登録請求の範囲】
【請求項１】
陰部を覆う前垂れ布と腰に巻くベルトとを備えた前垂れであって、
前記前垂れ布は、
前記ベルトを通すベルト通しと、
前記ベルト通しと連続する垂下部を備え、
前記ベルトは、前記ベルト通しに通され、前記ベルトの一方側にバックルのプラグが設けられ、他方側に前記バックルのソケットが設けられ、前記プラグ及び前記ソケットの少なくとも一方に、前記ベルトの長さを調節するアジャスタが設けられている
ことを特徴とする前垂れ。
【請求項２】
前記垂下部は、
前記ベルト通しと連続する矩形状の第１の垂下部と、
前記第１の垂下部から連続し、先端に向かうに従い幅が狭まる台形状の第２の垂下部と、を有している
ことを特徴とする請求項１に記載の前垂れ。
【請求項３】
前記ベルトに、握りが設けられている
ことを特徴とする請求項１又は請求項２に記載の前垂れ。
【請求項４】
前記前垂れ布が、１枚の布を折り返して２重に形成されている
ことを特徴とする請求項１から３までのいずれか１項に記載の前垂れ。
【考案の詳細な説明】
【技術分野】
【０００１】
本考案は、介護時の入浴用前垂れに関する。
【背景技術】
【０００２】
入浴時に、恥ずかしさの軽減や風紀、衛生等を確保するために、腰に装着して陰部を覆う前垂れが知られている（例えば、特許文献１参照）。
【先行技術文献】
【特許文献】
【０００３】
【特許文献１】特開平１０−２１９５０１号公報
【考案の概要】
【考案が解決しようとする課題】
【０００４】
本考案は、被介護者及び介護者の少なくとも一方の入浴時における恥ずかしさ、ためらいを軽減して心と体のケアができ、介護者が簡単に着脱できる前垂れを提供する。
【課題を解決するための手段】
【０００５】
（１）本考案に係る態様は、陰部を覆う前垂れ布と腰に巻くベルトとを備えた前垂れであって、前垂れ布は、ベルトを通すベルト通しと、ベルト通しと連続する垂下部を備え、ベルトは、ベルト通しに通され、ベルトの一方側にバックルのプラグが設けられ、他方側にバックルのソケットが設けられ、プラグ及びソケットの少なくとも一方に、ベルトの長さを調節するアジャスタが設けられている前垂れを提供する。
（２）上記（１）に記載の前垂れにおいて、垂下部は、ベルト通しと連続する矩形状の第１の垂下部と、第１の垂下部から連続し、先端に向かうに従い幅が狭まる台形状の第２の垂下部と、を有していてもよい。
（３）上記（１）又は（２）に記載の前垂れにおいて、ベルトに、握りが設けられていてもよい。
（４）上記（１）から（３）までのいずれか一つに記載の前垂れにおいて、前垂れ布が、１枚の布を折り返して２重に形成されていてもよい。
【考案の効果】
【０００６】
本考案によれば、被介護者及び介護者の少なくとも一方の入浴時における恥ずかしさ、ためらいを軽減して心と体のケアができ、介護者が簡単に着脱できる前垂れを提供できる。
【図面の簡単な説明】
【０００７】
【図１】本考案の実施形態に係る前垂れの（ａ）は前垂れの装着状態を示す正面図、（ｂ）は背面図である。
【図２】前垂れを示す概略正面図である。
【図３】握りを示す概略分解上面図である。
【考案を実施するための形態】
【０００８】
実施形態に係る前垂れ１は、陰部を覆う前垂れ布２と腰に巻くベルト３とを備えた前垂れであって、前垂れ布２は、ベルト３を通すベルト通し４と、ベルト通し４と連続する垂下部５を備え、ベルト３は、ベルト通し４に通され、ベルト３の一方側にバックル６のプラグ６１が設けられ、他方側にバックル６のソケット６２が設けられ、プラグ６１及びソケット６２の少なくとも一方に、ベルト３の長さを調節するアジャスタ６０が設けられている。
【０００９】
以下、前垂れ１の使用状態について説明する。図１において、前垂れ１は、被介護者Ｈの入浴時に、介護者が被介護者Ｈの下着を脱がせる際に、予め腰回りに装着するものである。装着は、前垂れ布２で陰部を覆い、ベルト３を腰に回し、バックル６のプラグ６１をソケット６２に差し込むことで行う。ここで、前垂れ１は、男女兼用できる。また、前垂れ１は、入浴時に装着したままでもよいし、外してもよい。
【００１０】
図１及び図２において、被介護者Ｈの腰回りの長さに応じて、アジャスタ６０によって腰に回すベルト３の長さを調整し、腰から前垂れ１が落下しないようにする。以下、各部位のサイズを一例として挙げるが、これらのサイズはおおよそのサイズであり、これらに限定されるものではない。例えば、ベルト３の長さは１１００．０ｍｍ程度のものを用いることで、ほとんどの被介護者Ｈの腰に回すことができる。
【００１１】
前垂れ布２は、ベルト３を通すベルト通し４を備えている。ベルト通し４は、前垂れ布２を折り曲げて縫い合わすことで形成できる。ベルト通し４の上下方向の幅は、ベルト３の幅より若干広めにする。例えば、ベルト３の幅が２４．５ｍｍの場合、２４．５ｍｍより若干広くする。また、ベルト通し４の長さは、例えば、３００．０ｍｍとし、ベルト３の厚みは、１．３ｍｍのものを用いることができる。ベルト３の材質は、水切れがよい合成樹脂性のものを用いるとよい。例えば、ナイロン、ポリエステル等の繊維を編み上げたものを用いるとよい。
【００１２】
垂下部５は、ベルト通し４と連続する矩形状の第１の垂下部５０と、第１の垂下部５０から連続し、先端に向かうに従い幅が狭まる台形状の第２の垂下部５１と、を有している。第１の垂下部５０の横方向の幅は、ベルト通し４と同じ長さ３００．０ｍｍで、例えば、下方の長さが、１００．０ｍｍの矩形状である。第２の垂下部５１の形状は、等脚台形で、例えば、上方の底辺の長さが、３００．０ｍｍで、下方の底辺の長さが、１００．０ｍｍである。また、ベルト通し４の上端から第２の垂下部５１の下方の底辺までの長さが３００．０ｍｍである。このような形状であれば、大部分の被介護者の陰部を覆うことができ、第２の垂下部５１の形状を、等脚台形とすることで、入浴後の水切れがよい。
【００１３】
前垂れ布２は、１枚の布を折り返して２重に形成されていてもよい。１枚の布を２重にすることで、例えば、水切れの良い薄い生地を用いた場合でも、陰部が透けて見えにくくなる。ここで、１枚の布を折り返して２重にした際に、縫い合わせてもよい。前垂れ布２としては、例えば、ナイロンタオル、ポリエステル等の合成樹脂製繊維を編み上げたものを用いると水切れがよく、清潔に保てる。また、前垂れ布２は着色されていてもよい。
【００１４】
バックル６は、サイドリリースタイプでもよいし、フロントリリースタイプでもよい。
バックル６のアジャスタ６０付のプラグ６１の長さは、３６．０ｍｍ、ソケット６２の長さは、３０．０ｍｍのものを選ぶとよい。バックル６のソケット６２側は、ベルト３が通されて、折り曲げられ縫い合わせ部３０で縫い合わせて取り付けられている。
【００１５】
ベルト３に、握り７が設けられていてもよい。握り７は、図２及び図３に示した。図２及び図３において、握り７は、ソケット６２の横に設けられている。そして、図３において、握り７は、握り部７０と止め部７１とを備えている。握り部７０は、握る部分が、直径５０．０ｍｍの円盤形状で、握る部分から滑らかに連続する基部の直径が２０．０ｍｍの円盤形状を有している。また、側面視において、基部のベルト３と接する部分と握る部分までの距離が２０．０ｍｍ、握り部７０の頂部までの距離が４０．０ｍｍまでのものを用いるとよい。以上に述べたサイズにすることで、握り７が握りやすくなる。握り７は、例えば、合成樹脂で形成されるが、ゴムであってもよい。
【００１６】
握り７は、例えば、握り部７０に図示しない雌ネジが設けられ、雄ネジの形成された止め部７１をベルト３に通して、握り部７０の雌ネジにねじ込むことで、握り７をベルト３に取り付けることができる。ネジの規格としては、例えば、Ｍ６を用いることができる。握り７は、必要に応じて着脱する。
【００１７】
以上に述べた、前垂れ布２、ベルト３、バックル６、握り７は広く流通しているものを用いることができる。前垂れ布２及びベルト３の生地は、ナイロンタオル、ポリエステル等の合成樹脂製繊維を編み上げたものに限らず、綿、麻等の自然素材を用いたものであってもよいし、合成樹脂製繊維と自然素材を組み合わせたものであってもよい。
【００１８】
被介護者は、陰部を見せたくない、見られたくないが、介護されているから仕方なく入浴しなければならず、入浴するのが億劫になる。一方、介護者は、陰部をできたら見たくない、見えてしまうのは仕方ないが、できることなら見ないで介護したいとの思いがある。
【００１９】
本考案に係る実施形態の前垂れ１によれば、被介護者Ｈ及び介護者の少なくとも一方の入浴時における恥ずかしさ、ためらいを軽減して心と体のケアができ、介護者が簡単に着脱できる前垂れ１を提供できる。
【００２０】
また、被介護者を脱衣所から風呂場まで誘導するときに、握り７により介助しやすく安全に対処できる。例えば、半身まひの被介護者に対して特に有効である。ここで、図２及び図３において、握り７の取り付け位置は、ソケット６２の横に設けられているが、必要に応じて介助しやすい位置に取り付けることができる。
【００２１】
実施形態において、アジャスタ６０はプラグ６１及びソケット６２の両方に設けてもよいし、ソケット６２のみに設けられていてもよい。また、前垂れ布２やベルト３の縫い合わせは、縫い合わせ以外の貼り付けでもよいし、マジックテープ（登録商標）で止めてもよい。さらに、ベルト通し４にベルト３を通した後に、ベルト通し４とベルト３を縫い合わせてもよい。
【符号の説明】
【００２２】
１…  前垂れ
２…  前垂れ布
３…  ベルト
４…  ベルト通し
５…  垂下部
６…  バックル
７…  握り
５０…  第１の垂下部
５１…  第２の垂下部
６０…  アジャスタ
６１…  プラグ
６２…  ソケット
７０…  握り部
７１…  止め部
Ｈ…  被介護者
【図１】
0003207884.tif 000003
【図２】
0003207884.tif 000004
【図３】
0003207884.tif 000005